(57)【要約】【課題】  天井Ｔバーシステムに適合した軽量で、かつ、コンパクトで簡単に天井のＴバーに取り付けて固定することができ、発熱量が少なく明るい天井用ＬＥＤ照明装置を提供する。【解決手段】  天井ＴバーシステムのＴバー用ＬＥＤ照明装置であって、空調吸込口或いは吹出口を形成する平行二列のダブルＴバーを設け、該ダブルＴバーの各Ｔバーは断面形状の天井下面部が逆Ｔ字形状で水平に張りだしたエッジを有し、該ダブルＴバーの対向する前記エッジ上の適所にＬＥＤの発光体からなる長尺の細い照明装置を載置し、前記照明装置の長尺のベース部材の両側部にはＴバーへの取付固定部を設けた天井Ｔバー用ＬＥＤ照明装置。【選択図】図６
2008066043.tif 000002
【特許請求の範囲】
【請求項１】
天井ＴバーシステムのＴバー用ＬＥＤ照明装置であって、空調吸込口或いは吹出口を形成する平行二列のダブルＴバーを設け、該ダブルＴバーの各Ｔバーは断面形状の天井下面部が逆Ｔ字形状で水平に張りだしたエッジを有し、該ダブルＴバーの対向する前記エッジ上の適所にＬＥＤの発光体からなる長尺の細い照明装置を載置し、前記照明装置の長尺のベース部材の両側部にはＴバーへの取付固定部を設けたことを特徴とする天井Ｔバー用ＬＥＤ照明装置。
【請求項２】
天井ＴバーシステムのＴバー用ＬＥＤ照明装置であって、前記Ｔバーは断面形状の上端部が逆Ｌ字の溝部を形成し、前記取付固定部は上方に延びる長尺の弾性部材が設けられ、該弾性部材の端部が前記Ｔバーの溝部に係合して照明装置を前記エッジに押し付けて固定したことを特徴とする請求項１に記載の天井Ｔバー用ＬＥＤ照明装置。
【請求項３】
天井ＴバーシステムのＴバー用ＬＥＤ照明装置であって、間仕切り用Ｔバーの断面形状の天井下面部が逆Ｔ字形状で、水平に張りだした両エッジの端部に対向して開口するコの字状溝を有し、中央部には長手方向に開口する間仕切り固定ボルト溝と、該固定ボルト溝の奥部の側壁に外部に貫通する電源コード貫通孔を設け、前記対向して開口するコの字状溝にＬＥＤの発光体からなる長尺の細い照明装置のベース部材の扁平側部を差し込んで固定し、該照明装置の電源コードを前記ボルト溝に挿入して前記電源コード貫通穴から外部に出して直流電源に接続することを特徴とする天井Ｔバー用ＬＥＤ照明装置。
【発明の詳細な説明】
【技術分野】
【０００１】
本発明は、天井に取り付けて部屋を照明する天井Ｔバー用ＬＥＤ照明装置に関する。
【背景技術】
【０００２】
従来より、天井に取り付けて部屋を照明する照明器具は白熱電灯や天井露出型蛍光灯や天井埋め込み式の蛍光灯が使用されている。
白熱電灯は古くから現在に至るまで取付の簡便性や雰囲気から多用されているが、寿命や高温の発熱や電流消費に対する明るさの点に問題があった。このため、大半の家庭や事務室等の照明は蛍光灯照明器具が使用されている。
これらの照明器具のうち、天井に直に取り付ける埋め込み式の蛍光灯照明器具(例えば、特許文献１)は、図１３に示すように、天井空間が広く感じられるという利点があるが、蛍光灯ａを組み込んだ蛍光灯ベース器具ｂに相当する天井ボード開口及び下地開口ｃを必要とし、安定器或いはインバータ回路等の重量のある電源供給部ｄが必要であって、断面逆Ｔ字型の天井Ｔバーｅに直接支持させるか、或いは、天井裏スペースにボルトｆ等で吊る必要があり、また、重量のあることから施工工事には二人一組の作業となり、更には、安定器ｄ等による発熱も無視できず空調の冷熱負荷となっていた。
また、近時、天井構造として、前記特許文献１等や、図１４、図１５に見られるように、天井Ｔバーシステムを採用することが多い。この天井Ｔバーシステムは、天井に断面形状が逆Ｔ字形状の細長いＴバーｅを張り巡らし、二列のダブルＴバーを２〜５cmの間隔で配置して、空調吸込口ｈや空調吹出口ｉを形成し、逆Ｔ字形状のエッジ上に天井ボードｇ等を係止して載置するもので、一対の逆Ｔバーの水平に張りだした約５〜１５mmのエッジに天井ボード・照明・空調吹出口等を係止して載置するだけで、Ｔバーが軽量で幅も細いことから、天井からの支持のためのアンカーボルトが少なくてすみ、施工が簡単となり短期間で完了する天井工事の簡素化ができることから、各種建築物で採用されることが多い。
【発明の開示】
【発明が解決しようとする課題】
【０００３】
ところで、従来より発熱量が小さく発光効率の良い非白色のＬＥＤが開発され、特許文献２に開示されているように、平板状のＥＬ素子が車内灯等の小規模の照明に利用され、特許文献３に開示されているように、小規模の常夜灯として利用されているが、通常の部屋に用いる天井用のＬＥＤ照明器具は実用化されていない。しかし、近時、発光効率７０lm／Ｗで光束２４５lmの照明用白色パワーＬＥＤランプが開発され、通常の部屋に用いる天井用のＬＥＤ照明器具を提供することが可能となった。
また、上述した天井構造である天井Ｔバーシステムにおいては、約２.５〜５ｃｍ間隔の空調吸込口或いは吹出口を形成するダブルＴバーを対向して２組掛け渡しているが、蛍光灯等の照明器具が大きく重いため、図１４、図１５に示すように、折角Ｔバーが軽量で幅も細くても、Ｔバー以外に、別途、天井からアンカーボルトや支持装置(特許文献１：符合２)を設けて蛍光灯等の照明器具や空調吹出口を取り付けており、施工もやっかいなものであった。
【特許文献１】特開平５−８９７１４号公報
【特許文献２】特開平１−２８１６０３号公報
【特許文献３】実用新案登録第３１１４２８０号公報
【０００４】
本発明は、前述の従来の実情に鑑みてなされたもので、折角Ｔバーが軽量で幅も細くても、それを生かす照明装置がないことに鑑みてなされたもので、天井Ｔバーシステムに適合した軽量で、且つ、コンパクトで簡単に天井のＴバーに取り付けて固定することができ、発熱量が少なく明るい天井用ＬＥＤ照明装置を提供しようとするものである。
【課題を解決するための手段】
【０００５】
上記課題を解決するために、請求項１の発明は、天井ＴバーシステムのＴバー用ＬＥＤ照明装置であって、空調吸込口或いは吹出口を形成する平行二列のダブルＴバーを設け、該ダブルＴバーの各Ｔバーは断面形状の天井下面部が逆Ｔ字形状で水平に張りだしたエッジを有し、該ダブルＴバーの対向する前記エッジ上の適所にＬＥＤの発光体からなる照明装置を載置し、前記照明装置の長尺のベース部材の両側部にはＴバーへの取付固定部を設けたことを特徴とする天井Ｔバー用ＬＥＤ照明装置である。
請求項２の発明は、天井ＴバーシステムのＴバー用ＬＥＤ照明装置であって、前記Ｔバーは断面形状の上端部が逆Ｌ字の溝部を形成し、前記取付固定部は上方に延びる長尺の弾性部材が設けられ、該弾性部材の端部が前記Ｔバーの溝部に係合して照明装置を前記エッジに押し付けて固定したことを特徴とする請求項１に記載の天井Ｔバー用ＬＥＤ照明装置である。
【０００６】
請求項３の発明は、天井ＴバーシステムのＴバー用ＬＥＤ照明装置であって、間仕切り用Ｔバーの断面形状の天井下面部が逆Ｔ字形状で、水平に張りだした両エッジの端部に対向して開口するコの字状溝を有し、中央部には長手方向に開口する間仕切り固定ボルト溝と、該固定ボルト溝の奥部の側壁に外部に貫通する電源コード貫通孔を設け、対向して開口するコの字状溝にＬＥＤの発光体からなる長尺の細い照明装置のベース部材の扁平側部を差し込んで固定し、該照明装置の電源コードを前記ボルト溝に挿入して前記電源コード貫通穴から外部に出して直流電源に接続することを特徴とする天井Ｔバー用ＬＥＤ照明装置である。
【発明の効果】
【０００７】
請求項１及び請求項２の本発明によれば、ダブルＴバーに照明装置を設けたので、従来の蛍光灯照明装置の大部分を天井ボードとすることができ、すっきりとした天井デザインとすることが可能となり、天井が美麗に仕上がり、また、照明装置を軽量小型のＬＥＤの発光体を用いたことにより施工も簡単となり、さらに、ＬＥＤは光量に比較して発熱量が少ないから、空調への冷熱負荷が少なくなり、照明自体の電力消費量と空調電力消費量とを減少させることができる。
【０００８】
請求項３の本発明によれば、間仕切り用Ｔバーに照明装置を設けたので、従来の蛍光灯照明装置が撤去でき、すっきりとした天井デザインとすることが可能となり、天井が美麗に仕上がり、また、照明装置を軽量小型のＬＥＤの発光体を用いたことにより施工も簡単となり、さらに、ＬＥＤは光量に比較して発熱量が少ないから、空調への冷熱負荷が少なくなり、照明自体の電力消費量と空調電力消費量とを減少させることができる。
【発明を実施するための最良の形態】
【０００９】
本発明の前提となるＴバー天井構造は、断面形状が逆Ｔ字形状のＴバーを張り巡らし、逆Ｔ字形状のエッジ上に天井ボード等を係止して載置する天井Ｔバーシステムで、Ｔバー自体は幅１５〜２５mmの細いバーで、少なくとも天井下面に断面形状が逆Ｔ字形状をなし、一対の逆Ｔバーの水平に張りだした約５〜１５mmのエッジに天井ボード・照明・空調吹出口等を係止して載置するものである。
また、照明用白色パワーＬＥＤランプ（シチズン電子社製CL-L100）は、単体が７mm×５０mm×２mmと薄型で、発光効率70lm/Wで光束145lmであり、これらを適宜並べて配置することで、蛍光灯を上回る所望の光量の白色照明の発光体が得られることに着目したものである。
以下に、本発明の好適な天井Ｔバー用ＬＥＤ照明装置の実施例を図面に沿って説明する。
【実施例１】
【００１０】
先ず、実施例１として、平行二列のダブルＴバーを用いた天井ＴバーシステムのＴバー用ＬＥＤ照明装置を説明する。
[天井Ｔバーシステム]
実施例１に用いる天井Ｔバーシステムは、図１、図２に示すように、ほぼ正方形区画にＴバー２１,２２を配置し、その中央部に約２.５ｃｍ間隔の空調吸込口３４を形成する平行２列のダブルＴバー２３を２組掛け渡し、各ＴバーのＴ部の底面幅は約２.５ｃｍであり、区画Ｔバー２１,２２とダブルＴバーとの間には天井ボード３１を載置し、２組のダブルＴバーの間には小さな天井ボード３２と中央に矩形の空調吹出口３５を配置する。また、図６に示すように、これらＴバー２３の断面形状は天井下面側に逆Ｔ字形状をなし、逆Ｔバーの水平に張りだした１５mm程度のエッジ２３１を有し、このエッジ２３１には天井ボード３１,３２や空調吹出口３５等を載置するのに用いる。前記Ｔバー２３は断面形状の上端部には逆Ｌ字の溝部２３２を形成され、空調吸込口３４を形成するダブルＴバー２３の適所にＬＥＤ照明装置１を配置したものである。なお、符合３３a,３３ｂは、作業用の空間を覆う目隠しプレートであり、各Ｔバーの上端は天井基礎部の適所の支持部材に支持されている。
【００１１】
[照明装置]
実施例１の前記ＬＥＤ照明装置１は、図３から図５に示すようなもので、天井用ＬＥＤ照明装置１の全体を示し、複数のＬＥＤの集合からなる発光体１１は、前記４mm×40mm×0.75mmの薄型の発光素子を集合した長尺のもので、例えば１００cm程度の所望長さの長尺発光体で、薄板状で蛍光灯に比べて遙かに軽量小型である。
前記発光体１１は、両端部に入力端子(図示せず)を有し、長尺のベース部材１２のほぼ中央に集合して取り付けられてコネクタ１３ａ、１３ｂに接続し、このコネクタ１３ａ、１３ｂは電源コード１５ａ,１５ｂのプラグ付ソケット部材１４ａ,１４ｂに接続しており、発光体１１の集合体の左半分は電源コード１５ａ及び電源用プラグ１６より給電され、発光体１１の集合体の右半分は電源コード１５ｂ及び電源用プラグ１６より給電される。
ベース部材１２の横断面形状は、図５に示すように、約３ｃｍの幅の扁平の基板部１２１と、基板部１２１の両側には一対の垂直壁１２２が設けられており、長尺のベース部材１２の基板部１２１の底部で天井面の中央には前述したように発光体１１が固定されている。
更に、電源用プラグ１６には、後述する直流電源装置４からのソケット１８に接続され、直流ＤＣ７Ｖ〜１５Ｖが供給される。ＬＥＤ照明装置１の電源は極性のある直流電源であることから、電源用プラグ１６に３本で中央のピンがプラス（＋）極で、左右端のピンがマイナス(−)極であり、その極性に対応する受けソケットから直流が供給される。
なお、ベース部材１２はアルミの押し出し成型品を用いたもので、長手方向の凹溝を利用して電極リード線(図示せず)を配線しているが、勿論、ベース部材１２はアルミ製でなくプラスチック製の成型品でもよい。
【００１２】
[取付固定部]
図６に示すように、ＬＥＤ照明装置１の長尺のベース部材１２の両側部の垂直壁１２２には、ＬＥＤ照明装置１を平行２列のダブルＴバー２３に取り付ける取付固定部を設けられ、一対のＴバー２３,２３の断面形状の上端部には逆Ｌ字の溝部２３２が形成され、取付固定部は上方に延びる長尺で棒状の弾性部材１７a,１７bが設けられ、この弾性部材１７a,１７bの下端171は垂直壁１２２に回動不動に２つの固定孔123,124（図３,４参照）に係合され、弾性部材１７a,１７bを多少曲げて、弾性部材１７a,１７bの上端172を各Ｔバー２３の溝部２３２に係合してＬＥＤ照明装置１を前記エッジ２３１の上面に押し付けて固定する構成となっている。
なお、本実施例では弾性部材１７a,１７bを棒状としたが、板状でもよく、要は、ＬＥＤ照明装置１を押さえて固定できるものであればよく、また、弾性部材１７a,１７bの下端の固定手段もネジ止めや鳩目止めや接着材等を用いてもよい。
【００１３】
[電源装置]
実施例１の図２ソケット１８、プラグ１６、発光体１１に電源を供給する直流電源装置４を図７に沿って説明する。
本発明の発光体１１は複数のＬＥＤの集合体であり、ＬＥＤを並列、直列、或いは、これらの組み合わせ回路構成によって加電圧が変えられるが、本実施例では最適作動電圧をＤＣ１２Ｖの発光体を用いた。
この発光体への電力供給する直流電源装置４は、図７に示すブロック図に示すように、商用交流１００Ｖ電源をスイッチ４１を介して入力し、トランス４２によって１００Ｖを１８Ｖ程度に変圧し、これをダイオードブリッジ４３によって直流に整流し、大容量コンデンサー４４によって平滑し、３端子レギュレータＩＣ４５の電源安定化回路によって７Ｖから１５Ｖの所望の直流定電圧を供給するようにしており、発光体１１の両端での電圧がＤＣ１２Ｖになるようにしている。
【００１４】
このように、実施例１の天井Ｔバー用ＬＥＤ照明装置では、同じ明るさの蛍光灯に比べて小型軽量であるから、従来の空調吸込口或いは吹出口を形成する平行二列のダブルＴバーにＬＥＤ照明装置を配置でき、それまでの蛍光灯を撤去できるので、すっきりとした天井デザインとすることが可能となり、天井が美麗に仕上がり、また、ＬＥＤ照明装置１をワンタッチでＴバーに装着でき、軽量小型であるので施工が簡単であり、作業員が１人でも施工が可能となり、更に、ＬＥＤは光量に比較して発熱量が少ないから、空調への冷熱負荷が少なくなり、照明自体の電力消費量と空調電力消費量とを減少させることができる。
【実施例２】
【００１５】
次に、実施例２として、間仕切り用Ｔバーを用いた天井ＴバーシステムのＴバー用ＬＥＤ照明装置を説明する。
[天井Ｔバーシステム]
実施例２に用いる天井Ｔバーシステムは、図８に示すように、ほぼ正方形区画に図面横方向にＴバー２１と、縦方向にダブルＴバー２３とを配置し、その中央部に間仕切り用Ｔバー２５を配置したもので、図９に示すように、間仕切り用Ｔバー２５の上端部２５５は天井の所々に支持具２５６（図１０参照）で天井基礎部に支持され、平行２列のダブルＴバー２３,２３の隙間には、細長い空調吸込口３４と空気吹出口３６とが設けられている。
また、間仕切り用Ｔバー２５は、図９に示すように、断面形状が天井下面側に逆Ｔ字形状をなし、逆Ｔバーの水平に張りだしたエッジ２５１を有し、このエッジ２５１には天井ボード３１や他の設備器具等を載置するのに用いる。そして、天井に面する底面の長手方向には、対向して開口するコの字状溝２５２が設けられ、中央部には長手方向に延びる間仕切り固定ボルト溝２５３が設けられ、この固定ボルト溝２５３は任意の位置でボルトを縲合固定でき、通常、天井に固定すべき器具のためのものである。この固定ボルト溝２５３の奥部の側壁に外部に貫通する電源コード貫通孔２５４を設け、この貫通孔２５４は天井ボード３１の上方に開口しており、ＬＥＤ照明装置１の電源コード１５とプラグ１６を外に出し、直流電源が供給されているソケット１８に接続する。
【００１６】
[照明装置]
図１０〜１２に示すように、実施例２のＬＥＤ照明装置１の実施例１と異なる構成は、実施例１における垂直壁１２２がなく、ベース部材１２の上面が平坦であり、Ｔバーへの取付手段も弾性部材ではなく、前記間仕切り用Ｔバー２５における両端のエッジ２５１の下面の対向して開口するコの字状溝２５２に、ＬＥＤの発光体からなる長尺の細い照明装置１のベース部材１２の扁平側部１２５を差し込んで固定している点である。この固定手段は照明装置１の両端部のボルト係止部１９にボルト５を挿入し、固定ボルト溝２５３に縲合して止めてある。このＬＥＤ照明装置１の固定手段は、他の公知のスナップファスナーのようなワンタッチ固定具でもよい。
また、ＬＥＤ照明装置１の電源コード１５は、間仕切り用Ｔバー２５の両端で開放されているボルト溝２５３に側方から挿入して、所定位置で間仕切り用Ｔバー２５の電源コード貫通穴２５４から外部に出して直流電源のソケット１８に接続する。他の構成は、実施例１と同じであるので、説明は省略する。
【００１７】
以上のように実施例２では、間仕切り用Ｔバー２５にＬＥＤ照明装置１を設けたので、従来の蛍光灯照明装置が撤去でき、すっきりとした天井デザインとすることが可能となり、天井が美麗に仕上がり、また、照明装置を軽量小型のＬＥＤの発光体を用いことにより、施工が簡単で作業員が１人でも施工が可能となり、さらに、ＬＥＤは光量に比較して発熱量が少ないから、空調への冷熱負荷が少なくなり、照明自体の電力消費量と空調電力消費量とを減少させることができる。
なお、本発明の特徴を損なうものでなければ、上記の各実施例に限定されるものでないことは勿論である。
【図面の簡単な説明】
【００１８】
【図１】本発明の実施例１の天井Ｔバーシステムの概略底面図
【図２】図１の(２)−(２)での断面図
【図３】本発明の実施例１のＬＥＤ照明装置の断面図
【図４】図３の底面図
【図５】図３の長手方向からの断面図
【図６】実施例１の照明装置の天井Ｔバーに載置固定した断面図
【図７】本発明の実施例１及び実施例２の電源装置のブロック図
【図８】本発明の実施例２の天井Ｔバーシステムの概略底面図
【図９】実施例２の照明装置未装着の天井Ｔバーシステムの間仕切り用Ｔバーの断面図
【図１０】実施例２のＬＥＤ照明装置を間仕切り用Ｔバーに取り付けた断面図
【図１１】図１０の底面図
【図１２】実施例２の照明装置の天井Ｔバーに固定した長手方向からの断面図
【図１３】従来公知の蛍光灯照明装置を説明する斜視図
【図１４】従来公知の天井Ｔバーシステムと蛍光灯を説明する概略底面図
【図１５】従来公知の図１４の断面図である。
【符号の説明】
【００１９】
１…照明装置、１１…発光体、１２…ベース部材、121…基板部、
122…垂直壁、123,124…固定孔、125…扁平側部、13,13a,13b…コネクタ、
14a,14ｂ…プラグ付ソケット部材、15,15a,15b…電源コード、
１６…電源用プラグ、１７a,１７b…弾性部材、171…下端、172…上端、
１８…ソケット、１９…ボルト係止部、
２１,２２…Ｔバー、２３…ダブルＴバー、231…エッジ、232…溝部、
２５…間仕切り用Ｔバー、251…エッジ、252…コの字状溝、
253…固定ボルト溝、254…電源コード貫通孔、255…上端部、256…支持具、
３１,３２…天井ボード、33a,33b…目隠しプレート、
３４…空調吸込口、３５,３６…空調吹出口、
４…直流電源装置、４１…スイッチ、４２…トランス、
４３…ダイオードブリッジ、４４…大容量コンデンサー、
４５…端子レギュレータＩＣ、
５…ボルト、
【図１】
2008066043.tif 000003
【図２】
2008066043.tif 000004
【図３】
2008066043.tif 000005
【図４】
2008066043.tif 000006
【図５】
2008066043.tif 000007
【図６】
2008066043.tif 000008
【図７】
2008066043.tif 000009
【図８】
2008066043.tif 000010
【図９】
2008066043.tif 000011
【図１０】
2008066043.tif 000012
【図１１】
2008066043.tif 000013
【図１２】
2008066043.tif 000014
【図１３】
2008066043.tif 000015
【図１４】
2008066043.tif 000016
【図１５】
2008066043.tif 000017